(57)【要約】【課題】比較的短時間でクリーンルームへ入室させることができ、その場合でもクリーンルーム内の空気を汚染することがない、エアーシャワー装置を提供することを目的とする。【解決手段】エアーシャワー室１０の中心方向に向けて圧縮空気を噴射する第一の噴射装置２０と、エアーシャワー室１０の壁面内側に沿って圧縮空気を噴射する第二の噴射装置３０とより構成する。第二の噴射装置３０によりエアーシャワー室１０内に発生した旋回気流は、エアーシャワー室１０の天井、および床に設置した吸引口から吸引して外部に排出するように構成する。【選択図】　　　　図１
2004069204.tif 000002
【特許請求の範囲】
【請求項１】
密封された室の中心方向に向けて圧縮空気を噴射して清浄する第一の噴射装置と、
密封された室の壁面内側に沿って圧縮空気を噴射して、旋回気流によるエアーカーテンと人工竜巻を形成する第二の噴射装置とより構成した、
エアーシャワー装置。
【請求項２】
エアーシャワー室の中心方向に向けて圧縮空気を噴射する第一の噴射装置と、エアーシャワー室の壁面内側に沿って圧縮空気を噴射する第二の噴射装置とより構成し、
第二の噴射装置によりエアーシャワー室内に発生した旋回気流を、エアーシャワー室の天井又は床に設置した吸引口から吸引して外部に排出するように構成した、
エアーシャワー装置。
【請求項３】
エアーシャワー室の中心方向に向けて圧縮空気を噴射する第一の噴射装置と、
エアーシャワー室に隣接した旋回気流室の壁面内側に沿って圧縮空気を噴射する第二の噴射装置とより構成し、
第二の噴射装置により旋回気流室内に発生した旋回気流を、旋回気流室の天井又は床に設置した吸引口から吸引して外部に排出するように構成した、
エアーシャワー装置。
【請求項４】
第一の噴射装置の圧縮空気噴射終了後に、第二の噴射装置による圧縮空気の噴射を開始するように構成した、
請求項１乃至請求項３の何れかに記載のエアーシャワー装置。
【請求項５】
扉に第二の噴射装置を取り付け、扉の開閉角度に応じて圧縮空気の噴射方向を変化させて室内に旋回気流を発生させるように構成した、
請求項１乃至請求項３の何れかに記載のエアーシャワー装置。
【発明の詳細な説明】
【０００１】
【発明の属する技術分野】
本発明は、エアーシャワー装置に関するものである。
【０００２】
【従来の技術】
いずれのクリーンルームでも、入室者がいきなり外部から入ることは許されず、程度の差はあっても、入室の前にエアーシャワー室において粉塵等を払い落とすことが義務付けられている。
【０００３】
【本発明が解決しようとする課題】
前記したような従来のエアーシャワー装置にあっては、次のような問題点が存在した。
＜イ＞エアーシャワーで払い落とした粉塵等は、完全にフィルターで濾過されるため、エアーシャワー室内の空気は清浄化されているはずである。
＜ロ＞ところが出勤時刻等の混雑時には多数の入室者が短時間でエアーシャワー室の通過を望むため、払い落とした粉塵等がまだ完全にフィルターで濾過されて清浄な空気と置き換えられる前にクリーンルーム側の扉をあけてしまう傾向がある。
＜ハ＞一方、クリーンルーム内は、外部からの汚染された気体の侵入を阻止するために、常時わずかに高圧状態に維持されている。
そのようにエアーシャワー室とクリーンルームとはわずかな圧力差が存在するために、エアーシャワー室の扉を空けた瞬間に、エアーシャワー室に残っていた粉塵を含んだ空気と、クリーンルーム内の清浄な空気が置換されてしまう。
＜ニ＞エアーシャワー室はどこにでも配置できるものではなく設置可能な数に限りがあり、経済的にも限度があるから、限定された数のエアーシャワー室の配置において、迅速な作業員の入室を促すと、その結果、開扉の度に粉塵を含んだ汚染空気がクリーンルーム内に流入してしまうという問題がある。
＜ホ＞以上の問題は、生活空間から清浄度の高いクリーンルームへの入室の問題であるが、粉塵や汚染空気の多い環境から、汚染されていない一般の生活空間に退出する場合にも共通の問題である。
【０００４】
【本発明の目的】
本発明は上記したような従来の問題を解決するためになされたもので、比較的短時間でクリーンルームなどへ入室させることができ、その場合でもクリーンルーム内の空気を汚染することがない、エアーシャワー装置を提供することを目的とする。
【０００５】
【課題を解決するための手段】
上記のような目的を達成するために、本発明のエアーシャワー装置は、密封された室の中心方向に向けて圧縮空気を噴射して清浄する第一の噴射装置と、密封された室の壁面内側に沿って圧縮空気を噴射して、旋回気流によるエアーカーテンと人工竜巻を形成する第二の噴射装置とより構成したものである。
さらに本発明のエアーシャワー装置は、エアーシャワー室の中心方向に向けて圧縮空気を噴射する第一の噴射装置と、エアーシャワー室の壁面内側に沿って圧縮空気を噴射する第二の噴射装置とより構成し、第二の噴射装置により旋回気流室内に発生した旋回気流を、旋回気流室の天井又は床に設置した吸引口から吸引して外部に排出するように構成したものである。
さらに本発明のエアーシャワー装置は、エアーシャワー室の中心方向に向けて圧縮空気を噴射する第一の噴射装置と、エアーシャワー室に隣接した旋回気流室の壁面内側に沿って圧縮空気を噴射する第二の噴射装置とより構成し、第二の噴射装置によりエアーシャワー室内に発生した旋回気流を、エアーシャワー室の天井又は床に設置した吸引口から吸引して外部に排出するように構成したものである。
さらに本発明のエアーシャワー装置は、前記したエアーシャワー装置において、第一の噴射装置の圧縮空気噴射終了後に、第二の噴射装置による圧縮空気の噴射を開始するように構成することもできる。
さらに本発明のエアーシャワー装置は、扉に第二の噴射装置を取り付け、扉の開閉角度に応じて圧縮空気の噴射方向を変化させて室内に旋回気流を発生させるように構成することもできる。
【０００６】
【発明の実施の形態１】
以下図面を参照しながら本発明に係るエアーシャワー装置の一例について説明する。
【０００７】
＜イ＞第一の噴射装置。
図１にエアーシャワー装置の平面概略図を示す。第一扉１１と第二扉１２とを具備したエアーシャワー室１０には第一の噴射装置２０を設ける。
第一の噴射装置２０は、一般に市販されている通常の圧縮空気を噴射するノズルである。
このノズルをエアーシャワー室１０の周囲の複数箇所に設けると共に、高さ方向にも複数を設ける。各ノズルの基端はコンプレッサーや送風機等と接続していて、コンプレッサー等から供給される圧縮空気を公知の各種フィルターによって十分に濾過して清浄な空気を噴射できるようになっている。
第一の噴射装置２０による空気の噴射方向は、エアーシャワー室１０の中心部へ向け、エアーシャワー室１０内の中心に立った対象者の全身へ向けて吹き付けられるように構成する。
このような圧縮空気の濾過や、汚染空気を濾過して循環させて利用する機構は公知であるから、その詳細についての説明は省略する。
【０００８】
＜ロ＞第二の噴射装置。
エアーシャワー室１０には第一の噴射装置２０とは別に、エアーシャワー室１０の壁面内側に沿った方向に向けて圧縮空気を噴射するための第二の噴射装置３０を設ける。
この第二の噴射装置３０は、一般に市販されている通常の圧縮空気を噴射するノズルで構成し、高さ方向に複数を設ける。
ノズルではなく、上から下まで複数のスリットを開口した縦長の空気通路を使用することもできる。
エアーシャワー室１０はその平面形状が矩形、その他の多角形、あるいは円形の閉鎖空間であるから、第二の噴射装置３０からエアーシャワー室１０の壁面内側に沿って圧縮空気を噴射すれば、圧縮空気は壁面に沿って移動して旋回する。
本例では第二の噴射装置３０を構成するノズルをエアーシャワー室１０の一角に一箇所設けた場合を示すが、その周囲の複数箇所に設けてもよい。
複数箇所に設置する場合は、各ノズルの噴射方向を同一旋回方向に揃えておく。
【０００９】
＜ハ＞第一と第二の噴射装置の共通利用。
尚、前記した第一の噴射装置２０と第二の噴射装置３０を共通して利用することもできる。
その場合には、ノズルを水平方向へ向けて首振り可能に構成し、第一の噴射装置２０として用いる場合はノズルをエアーシャワー室１０の中心に向け、第二の噴射装置３０として用いる場合は、同一のノズルをエアーシャワー室１０の壁面とほぼ平行に向けて使用するようにすれば、一種類のノズルの噴射方向を変えることにより、両噴射装置２０，３０を兼用することができる。
【００１０】
＜ニ＞吸引口。
エアーシャワー室１０の天井、および床のほぼ中央部に夫々吸引口１３，１４を設けて、公知の負圧吸引手段を介してエアーシャワー室１０内の空気を常時外部へ排出できるようにする。
【００１１】
＜ホ＞第一と第二の噴射装置の切り替え。
第一の噴射装置２０からの圧縮空気の噴射が終了したら、第二の噴射装置３０から圧縮空気を噴射する。
この切り替えは、例えばエアーシャワー室１０内の対象者の操作によって行うことができる。
又は、タイマーによって時間を設定しておき、第一の噴射装置２０からの噴射開始から一定時間後に第二の噴射装置３０からの噴射を行うように構成することができる。或いは、センサーによって対象者の入室とその人の立っている位置を検知し、そのセンサーの検知信号を基に切り替えを行うこともできる。
【００１２】
【作用】
次にエアーシャワー装置の作動について説明する。
【００１３】
＜イ＞入室。
図１に示すようにクリーンルーム４０に入る対象者は、まずエアーシャワー室１０の第一扉１１を開閉して室内に入り、その中心付近に立つ。中心付近であるから、正確な中心である必要はない。
【００１４】
＜ロ＞第一の噴射装置の噴射工程。
入室して中心に立ったら対象者本人や操作員の操作により、あるいは公知の機械的、電気的な操作によって第一の噴射装置２０による清浄を開始する。
図１を基に第一の噴射装置２０による清浄工程を説明する。
エアーシャワー室１０の周囲に配置したノズルから、エアーシャワー室１０の中心付近に立つ対象者の頭部、胴体、脚部に向けて周囲から圧縮空気Ａを吹き出して粉塵を払い落す。
エアーシャワー室１０内で払い落された粉塵は、空気と共に天井、床、あるいはその両方に設けた吸引口１３，１４を通じて吸引され、室外へ排出される（図２参照）。
この場合に、第一の噴射装置２０による圧縮空気Ａの噴射時間を十分に長くとることができれば、エアーシャワー室１０内の空気は十分に清浄化され、クリーンルーム４０を汚染する心配がないはずである。
しかし既述したように狭い室内で立たされている対象者の立場からすれば、例え数分でも相当に長く感じるものであり、しかも多数の対象者を待たせている状況であると心理的にも急がされるのが実態である。そのために本発明の第二の噴射装置３０による噴射工程が必要となる。
【００１５】
＜ハ＞第二の噴射装置の噴射工程。
第一の噴射装置２０による噴射工程が終了すると、音声等の合図で対象者は退室する側の第二扉１２に接近する。
そして一定の操作によって、第二の噴射層３０による噴射工程を開始し、ノズルを通じてエアーシャワー室１０の壁面内側に沿って圧縮空気を連続的に噴射する。
図２，３に示すようにエアーシャワー室１０内の壁面に沿って噴射した圧縮空気は、エアーシャワー室１０のほぼ中央を中心とした旋回気流Ｂとなり、人工竜巻Ｃを形成する。
この旋回気流Ｂの中心部、すなわち人工竜巻Ｃのコア部を、天井あるいは床、あるいはその両方に設けた吸引口１３，１４において強制的に吸引し、ダクトを介して循環回路に向けて排出する。
この場合に対象者がエアーシャワー室１０の中心部に位置していると、気流が乱れて第二の噴射装置３０による人工竜巻Ｃは発生し難くなる。
しかし前記したように第二の噴射装置３０による噴射工程の開始時には、対象者が第二扉１２側に接近しており、中心部にはいない。
そのためにエアーシャワー室１０の中心部を核とした人工竜巻Ｃが形成され易くなる。
【００１６】
＜ニ＞エアーカーテンの形成。
図４に示すようにエアーシャワー室１０壁面に沿った旋回気流Ｂは、クリーンルーム４０と連通した第二扉１２を開けても維持されている。
特に第二扉１２の両側の一部に案内壁１９を形成しておけば、旋回気流Ｂはその旋回方向が案内されるから、開扉しても旋回気流Ｂが室外へ吹き出すことがない。
したがって、第二扉１２の前には全面にわたって目に見えない気流のカーテン、すなわちエアーカーテンＤが形成されることになる。
【００１７】
＜ホ＞退室。
第二扉１２の前にエアーカーテンＤが形成された状態で、対象者は開扉してエアーシャワー室１０から退室して、クリーンルーム４０へ入って行く。
前記したようにクリーンルーム４０内の圧力はわずかにエアーシャワー室１０内の圧力よりも高くなっているが、第二扉１２を開扉した後はエアーカーテンＤによって遮断されている。
そのためにクリーンルーム４０内の清浄な空気がエアーシャワー室１０内に侵入してエアーシャワー室１０内の空気と置換されることがない。
したがって、エアーシャワー室１０内の空気が粉塵等で多少汚染されていても、クリーンルーム４０内へ侵入することがなく、クリーンルーム４０内は常に清浄な状態を維持できる。
【００１８】
【発明の実施の形態２】
以降に他の実施の形態について説明するが、その説明に際し、前記した実施の形態１と同一の部位は同一の符号を付してその詳しい説明を省略する。
【００１９】
＜イ＞エアーシャワー装置。
図５に示すように、エアーシャワー装置は分離独立したエアーシャワー室１０と旋回気流室５０とにより構成してもよい。
エアーシャワー室１０と旋回気流室５０との間を隔壁１５で区画し、隔壁１５に中間扉１６を設ける。
本例ではエアーシャワー室１０に第一の噴射装置２０を設け、第一の噴射装置２０によりエアーシャワー室１０の中心部へ向けて清浄な空気を噴射して、エアーシャワー室１０内で対象者の粉塵を払い落せるようになっている。
旋回気流室５０には第２の噴射装置３０を設け、室内壁面に沿って圧縮空気を連続的に噴射して、旋回気流室５０内に旋回気流による人工竜巻ＣとエアーカーテンＤとを形成できるようにする。
各室１０，４０の天井と床には夫々図２に示したような吸引口１３，１４を設けて、エアーシャワー室１０内では圧縮空気Ａの噴射により払い落した粉塵の混入した空気を吸引して循環回路へ排出し、また旋回気流室５０内では人工竜巻Ｃのコア部（旋回気流の中心部）を天井および床の両側で吸引して循環回路へ排出できるようになっている。
循環回路ではフィルターなどを利用して汚染空気を浄化して、再利用する。
旋回気流室５０内では、その中間扉１６と第二扉１２との前に全面にわたって目に見えないエアーカーテンＤが形成されることになる。
そのため、対象者がエアーシャワー室１０から旋回気流室５０へ移動するときに中間扉１６を開扉しても、エアーカーテンＤが遮断して両室１０，５０の相互間での空気の移動を阻止できる。
同様に対象者が旋回気流室５０からクリーンルーム４０へ移動するときに第二扉１２を開扉しても、エアーカーテンＤが遮断して両室５０，４０の相互間での空気の移動を阻止できる。
【００２０】
＜ロ＞第一と第二の噴射装置の切り替え。
本例でも第一の噴射装置２０からの圧縮空気の噴射が終了したら、第二の噴射装置３０から圧縮空気を噴射する。
例えば図示するように、送気手段１７から第一の噴射装置２０及び第二の噴射装置３０へ接続した配管の間に切替器１８を設け、切替器１８の切り替え操作により圧縮空気の供給先を第一の噴射装置２０と第二の噴射装置３０へ振分けするようにすると、一台の送気手段１７で以って両噴射装置２０及び３０へ送気することができる。
この切り替えは、前述した実施の形態１と同様に、対象者による手動切替操作や、タイマーによる起動時間の設定、センサーによる対象者の検知信号を基にした起動制御等により行うことができる。
【００２１】
本例のようにエアーシャワー室１０とクリーンルーム４０の間に旋回気流室５０を形成すると、前述した実施例１と比べてエアーカーテンが二重となってエアーシャワー室１０内の粉塵等で汚染された空気がクリーンルーム４０へ侵入し難くなる。さらに各室１０，４０で複数の対象者が並行して清浄作業を行なえるから、対象者の順番の待ち時間を短縮できて、慌しい時間帯におけるクリーンルーム４０への入出人数を増やすことができる。
【００２２】
【発明の実施の形態３】
図６に示すように、既述した実施の形態１，２で示した第二扉１２に第二の噴射装置３０を設け、第二扉１２の開閉角度に応じて圧縮空気の噴射方向を制御するように構成しても良い。
本例の場合、第二扉１２の自由端側に第二の噴射装置３０のノズルを水平方向へ向けて首振り自在に取り付ける。第二扉１２の開閉角度（開閉量）に応じて圧縮空気を噴射するノズルの向きが変化するようにする。
ノズルの首振り機構は、例えば公知のリンク機構やカム機構等を単独でまたは組み合わせて行なうことができる。
要は第二扉１２を閉じているときは勿論のこと、第二扉１２を開けたときにもエアーシャワー室１０、又は旋回気流室５０内に圧縮空気による旋回気流Ｂと人工竜巻を形成できるようにする。
【００２３】
【他の用途】
以上の例は、一般の生活空間から、それよりも清浄度の高いクリーンルームへの入室の場合につい説明した。
しかし焼却炉の解体現場のようにＥＯガスやダイオキシンなどで汚染された環境から、汚染されていない一般の生活空間に退出する場所に設ける装置として利用できることはもちろんである。
【００２４】
【本発明の効果】
本発明のエアーシャワー装置は以上説明したようになるから、エアーカーテンで扉の内外の空気の流れを遮断することができるために、例えエアーシャワー室内の空気が多少汚染されていても、クリーンルーム内の空気を汚染することがない。
【図面の簡単な説明】
【図１】本発明の実施の形態１に係るエアーシャワー装置の概要説明図
【図２】エアーシャワー装置の中央横断面図
【図３】エアーシャワー装置からクリーンルームへ移動する直前の説明図
【図４】エアーシャワー装置からクリーンルームへ移動した直後の説明図
【図５】エアーシャワー室と旋回気流室を有する実施の形態２に係るエアーシャワー装置の概要説明図
【図６】第二の噴射装置を第二扉に設けた実施の形態３に係るエアーシャワー装置の一部を省略した説明図
【符号の説明】
１０　　　エアーシャワー室
１１　　　第一扉
１２　　　第二扉
１３，１４　　吸引口
１５　　　隔壁
１６　　　中間扉
２０　　　第一の噴射装置
３０　　　第二の噴射装置
４０　　　クリーンルーム
５０　　　旋回気流室
Ａ　　　　圧縮空気
Ｂ　　　　旋回気流
Ｃ　　　　人工竜巻
Ｄ　　　　エアーカーテン
【図１】
2004069204.tif 000003
【図２】
2004069204.tif 000004
【図３】
2004069204.tif 000005
【図４】
2004069204.tif 000006
【図５】
2004069204.tif 000007
【図６】
2004069204.tif 000008